(57)【特許請求の範囲】
【請求項１】
拡径および縮径可能な筒状の弾性体本体と、この弾性体本体を拡径するように弾性体本体の内部に挿入される筒状のインナーコアと、この筒状のインナーコアを引き出すとともに拡径された弾性体本体を縮径させるための引き出しフィルムを有する常温収縮チューブであって、
前記引き出しフィルムが、筒状のインナーコアの外周面に被着される被着面部と、この被着面部に連接され帯状または紐状に延びる引き抜き部を備え、当該引き抜き部が前記筒状のインナーコアの内部空洞部を通過して外部に延出してなるように配置されてなることを特徴とする常温収縮チューブ。
【請求項２】
前記インナーコアおよび前記引き出しフィルムは、前記筒状の弾性体本体の両端部に装着されてなる請求項１に記載の常温収縮チューブ。
【請求項３】
前記引き出しフィルムは、その被着面部および引き抜き部が同一フィルムから一体的に形成されており、被着面部および引き抜き部の連接部分には応力集中がかからないようになだらかな湾曲部が形成されている請求項１または請求項２に記載の常温収縮チューブ。
【請求項４】
前記引き出しフィルムは、その被着面部に別体の引き抜き部を接合して形成される請求項１または請求項２に記載の常温収縮チューブ。
【請求項５】
前記引き出しフィルムの片側面（インナーコアの外周面に接する側）には、離型性処理が施されている請求項１ないし請求項４のいずれかに記載の常温収縮チューブ。
【請求項６】
前記筒状のインナーコアの外周面と、前記引き出しフィルムの被着面部との間には、離型紙が介在されている請求項１ないし請求項４のいずれかに記載の常温収縮チューブ。
【請求項７】
前記筒状のインナーコアの内部空洞部を通過して外部に延出された引き出しフィルムの引き抜き部は、筒状の弾性体本体の外部側面に沿うように折り返され、固定部材によって一時的に固定されている請求項１ないし請求項６のいずれかに記載の常温収縮チューブ。
【請求項８】
前記固定部材が、周方向の一部に切欠部を有するＯリングであり、前記筒状の弾性体本体の外部側面に沿うように折り返された引き抜き部を、筒状の弾性体本体または筒状のインナーコアとともに、前記Ｏリングを被着させることによって、引き抜き部の一時的な固定がおこなわれている請求項７に記載の常温収縮チューブ。
【請求項９】
前記固定部材が、リング状のキャップであり、前記筒状の弾性体本体の外部側面に沿うように折り返された引き抜き部を、筒状の弾性体本体または筒状のインナーコアとともに、前記リング状のキャップを被着させることによって、引き抜き部の一時的な固定がおこなわれている請求項７に記載の常温収縮チューブ。
【請求項１０】
前記固定部材が、Ｕ字型クリップであり、前記筒状の弾性体本体の外部側面に沿うように折り返された引き抜き部を、折り返し端部で、引き抜き部とともに、筒状の弾性体本体または筒状のインナーコアの肉厚部をＵ字型クリップで挟み込むようにして挿着させ、引き抜き部の一時的な固定がおこなわれている請求項７に記載の常温収縮チューブ。
【請求項１１】
前記固定部材が、筒状のインナーコアの端部に形成されたスリット状の切欠部であり、前記筒状の弾性体本体の外部側面に沿うように折り返された引き抜き部を、前記スリット状の切欠部に挿入するとともに係止させ、引き抜き部の一時的な固定がおこなわれている請求項７に記載の常温収縮チューブ。
【請求項１２】
前記固定部材が、片面に粘着部を備えるテープ片であり、前記筒状の弾性体本体の外部側面に沿うように折り返された引き抜き部を、テープ片で筒状の弾性体本体または筒状のインナーコアに貼り付けることによって、引き抜き部の一時的な固定がおこなわれている請求項７に記載の常温収縮チューブ。
【発明の詳細な説明】
【０００１】
【発明の属する技術分野】
本発明は、被覆電線の露出した接続部に装着してこれを被覆保護するために用いられ、常温で弾性力により縮径することができる常温収縮チューブに関する。
【０００２】
【従来の技術】
銅線等の導体を備える電線は、その表面全体がゴム等の絶縁体によって被覆され被覆電線として用いられているのが通常である。しかしながら、このような被覆電線を数本継ぎ足して延長使用する場合には、導体の接続部が露出してしまい、これを被覆保護するために従来よりさまざまな方法が提案されている。
【０００３】
その一手段として、図１５に示されるような常温収縮チューブの構造が知られている。図１５に示される常温収縮チューブ１００は、ゴム状弾性体チューブ１１０とそのゴム状弾性体チューブ１１０の端部を拡径してその中に装着されるインナーコア１２０とを有している。インナーコア１２０は図示のごとくそれ自体にスパイラル状の切れ目１２１が予め入れられており、引き出し部１２５を引っ張ることによって、筒状のインナーコア１２０がスパイラル状の切れ目１２１に沿って帯状に解けていき、これによって、予め拡径されていたゴム状弾性体チューブ１１０の端部は徐々に縮径されるようになっている。
【０００４】
【発明が解決しようとする課題】
しかしながら、図１５に例示される従来の常温収縮チューブ１００の構成では、引き出し部１２５を引っ張りながらインナーコア１２０をスパイラル状の切れ目１２１沿って解いていくのに非常に大きな引っ張り力を必要とする。また、一気にインナーコア１２０を除去することができないため時間がかかり、決して作業性が良いと言えるものではない。
【０００５】
このような実状のもとに本発明は創案されたものであって、その目的は、簡易な構造で生産性に優れ、実際の操作に際して作業性が極めて優れる常温収縮チューブを提供することにある。
【０００６】
【課題を解決するための手段】
このような課題を解決するために、本発明の常温収縮チューブは、拡径および縮径可能な筒状の弾性体本体と、この弾性体本体を拡径するように弾性体本体の内部に挿入される筒状のインナーコアと、この筒状のインナーコアを引き出すとともに拡径された弾性体本体を縮径させるための引き出しフィルムを有し、前記引き出しフィルムが、筒状のインナーコアの外周面に被着される被着面部と、この被着面部に連接され帯状または紐状に延びる引き抜き部を備え、当該引き抜き部が前記筒状のインナーコアの内部空洞部を通過して外部に延出してなるように配置されて構成される。
【０００７】
また、前記インナーコアおよび前記引き出しフィルムは、前記筒状の弾性体本体の両端部に装着されてなるように構成される。
【０００８】
また、本発明の好ましい態様として、前記引き出しフィルムは、その被着面部および引き抜き部が同一フィルムから一体的に形成されており、被着面部および引き抜き部の連接部分には応力集中がかからないようになだらかな湾曲部が形成されて構成される。
【０００９】
また、本発明の好ましい態様として、前記引き出しフィルムは、その被着面部に別体の引き抜き部を接合して形成される。
【００１０】
また、本発明の好ましい態様として、前記引き出しフィルムの片側面（インナーコアの外周面に接する側）には、離型性処理が施されて構成される。
【００１１】
また、本発明の好ましい態様として、前記筒状のインナーコアの外周面と、前記引き出しフィルムの被着面部との間には、離型紙が介在されて構成される。
【００１２】
また、本発明の好ましい態様として、前記筒状のインナーコアの内部空洞部を通過して外部に延出された引き出しフィルムの引き抜き部は、筒状の弾性体本体の外部側面に沿うように折り返され、固定部材によって一時的に固定されるように構成される。
【００１３】
また、本発明の好ましい態様として、前記固定部材は、周方向の一部に切欠部を有するＯリングであり、前記筒状の弾性体本体の外部側面に沿うように折り返された引き抜き部を、筒状の弾性体本体または筒状のインナーコアとともに、前記Ｏリングを被着させることによって、引き抜き部の一時的な固定がおこなわれるように構成される。
【００１４】
また、本発明の好ましい態様として、前記固定部材は、リング状のキャップであり、前記筒状の弾性体本体の外部側面に沿うように折り返された引き抜き部を、筒状の弾性体本体または筒状のインナーコアとともに、前記リング状のキャップを被着させることによって、引き抜き部の一時的な固定がおこなわれるように構成される。
【００１５】
また、本発明の好ましい態様として、前記固定部材は、Ｕ字型クリップであり、前記筒状の弾性体本体の外部側面に沿うように折り返された引き抜き部を、折り返し端部で、引き抜き部とともに筒状の弾性体本体または筒状のインナーコアの肉厚部をＵ字型クリップで挟み込むようにして挿着させ、引き抜き部の一時的な固定がおこなわれるように構成される。
【００１６】
また、本発明の好ましい態様として、前記固定部材は、筒状のインナーコアの端部に形成されたスリット状の切欠部であり、前記筒状の弾性体本体の外部側面に沿うように折り返された引き抜き部を、前記スリット状の切欠部に挿入するとともに係止させ、引き抜き部の一時的な固定がおこなわれるように構成される。
【００１７】
また、本発明の好ましい態様として、前記固定部材は、片面に粘着部を備えるテープ片であり、前記筒状の弾性体本体の外部側面に沿うように折り返された引き抜き部を、テープ片で筒状の弾性体本体または筒状のインナーコアに貼り付けることによって、引き抜き部の一時的な固定がおこなわれるように構成される。
【００１８】
【発明の実施の形態】
以下、本発明の好適な実施の形態を添付図面に基づいて詳細に説明する。図１は、本発明の常温収縮チューブの一実施形態を示す概略断面図（端面図）である。
【００１９】
図１に示されるように、本実施形態の常温収縮チューブ１は、被覆電線の露出した接続部にソケット装着される拡径および縮径可能な筒状の弾性体本体２を有している。
【００２０】
この弾性体本体２は、例えばゴム等の伸縮性を有する絶縁体材料により形成されている。この弾性体本体２は、被覆電線の露出した接続部を覆うとともにソケット装着部を形成するに足りる十分な長さＬを有しており、その内径Ｒ１は、一般に電線被覆部の外径よりも小さく形成されている。
【００２１】
この弾性体本体２の通常、両端部には、被覆電線の接続部への装着が容易になるように、その両端部に配置してこれらの部分を強制的に拡径するためのインナーコア３が挿入されている。本実施の形態において、このインナーコア３は、図３に示されるように、縦半割の筒状を呈する一対の分割インナーコア３ａ，３ｂによって構成され、これらのものは例えばプラスチック材料等により形成されている。これら分割インナーコア３ａ，３ｂを型合わせすることにより、インナーコア３は全体として筒状を形成する。分割インナーコア３ａ，３ｂは最初から完全に分割されている構造であってもよいし、後から外力を加えることにより簡単に分割できるような構造としてもよい。インナーコア３は、後述する引き出しフィルム５との滑り性を良好にするために、各種の樹脂材料、例えば、ポリエチレン、ポリプロピレン、ポリアセタール樹脂、フッ素樹脂、ポリスチレン、ＡＢＳ樹脂、ポリカーボネート等が用いられる。
【００２２】
インナーコア３の内径Ｒ２（図１）は、弾性体本体２が被覆電線の接続部へ容易に装着できるように、通常、被覆電線の外径よりも大きく設定される。なお、本実施形態においては、インナーコア３を二分割のインナーコア３ａ，３ｂにより形成しているが（図３）、これに限るものではなく、それ以上の数に分割して形成しても良い。
【００２３】
これら分割インナーコア３ａ，３ｂを型合わせして形成された筒状のインナーコア３には、この筒状のインナーコア３を引き出すとともに拡径された弾性体本体を縮径させるための引き出しフィルム５が組み合わされる。本発明においては、この引き出しフィルム５の形態および使用の仕方に特徴がある。
【００２４】
本発明に用いられる引き出しフィルム５の好適な一例が図２に示される。この図に示されるように、引き出しフィルム５は、略４角シート状の被着面部５１と、この被着面部５１に連接され帯状または紐状に延びる引き抜き部５５を備えている。略４角シート状の被着面部５１は後述するように前記筒状のインナーコア３の外周面に被着されるように使用される。図２に示される好適な実施の形態では、被着面部５１および引き抜き部５５が同一フィルムから一体的に形成されている。これにより生産性等の向上が図られる。さらに、被着面部５１および引き抜き部５５の連接部分には、応力集中がかからないようになだらかな湾曲部Ｒが形成されている。引き抜き部５５は、幅２〜２０ｍｍ程度、長さ１０〜２００ｍｍ程度とされる。
【００２５】
このような引き出しフィルム５は、各種の樹脂をフィルム状に成形した後、例えば所定形状に打ち抜き処理して製造される。用いられる樹脂の材料および構成態様としては、比較的引っ張り強度の大きい、例えば、▲１▼ポリエチレンテレフタレート、延伸ポリプロピレン（ＯＰＰ）をそれぞれ単独のいわゆる単層体として使用したり、▲２▼前記ポリエチレンテレフタレート、延伸ポリプロピレン（ＯＰＰ）のいずれか一方をベースとして、これに未延伸ポリプロピレン（ＣＰＰ），ポリエチレン（ＰＥ），ナイロン，および線状低密度ポリエチレン（ＬＬＰＥ）の中から任意に選択した１種の樹脂を積層して使用したり、▲３▼前記ポリエチレンテレフタレート、延伸ポリプロピレン（ＯＰＰ）のいずれか一方をベースとして、これに未延伸ポリプロピレン（ＣＰＰ），ポリエチレン（ＰＥ），ナイロン，および線状低密度ポリエチレン（ＬＬＰＥ）の中から任意に選択した２種以上の樹脂を積層して使用したりすることが好適例として挙げられる。
【００２６】
さらに、上記材料をフィルムの基材として、この基材フィルムの表面にさらに別の改質層を設けたり、表面処理を施したりすることもできる。例えば、この引き出しフィルム５の片側面（インナーコア３の外周面に接する側）には、離型性処理を施しておくことが好ましい。離型性処理としては、例えば、特に、滑り性の良好な特性を有する延伸ポリプロピレン（ＯＰＰ）層や、ポリエチレンテレフタレート（ＰＥＴ）層を積層して形成すればよい。離型性処理を施しておくことにより、後述する離型紙の使用を省略させることができ、材料費の低減や、工程の簡略化が図られる。なお、離型性の特性に優れる材料そのものからから引き出しフィルム５を形成すれば、あえて表面の離型性処理を行う必要はない。この場合、基材と離型性処理層が一種類の材料で兼用された形となる。このような引き出しフィルム５の厚さは、１０〜５００μｍ程度に設定される。
【００２７】
上述してきたインナーコア３と引き出しフィルム５は一旦組み合わされて、筒状の弾性体本体２の中に装着される。装着される前の状態が、図３および図４に示される。図３は、引き出しフィルム５をインナーコア３に被着させる状態を示す斜視図であり、図４は、インナーコア３と引き出しフィルム５の組み合わせが完了した状態を示す斜視図である。図３に示されるように引き出しフィルム５の略４角シート状の被着面部５１は、筒状のインナーコア３の外周面をぐるりと一周巻くように被着される。この時、巻かれた被着面部５１が解けるのを防止するために、被着面部５１の端部近傍をスポット的に融着させておいてもよい。
【００２８】
次いで、図４に示されるように、引き出しフィルム５の帯状の引き抜き部５５は、筒状のインナーコア３の内部空洞部Ｅの中を通過して外部に延出される。つまり、帯状の引き抜き部５５は、インナーコア３の内部空洞部Ｅの中を通って最初に位置した方向とは反対側の外部に延出される。このような組み合み込みは、極めて簡単に行なうことができる。このようにして、インナーコア３と引き出しフィルム５の組み合わせが完了した後、この一体化物は、筒状の弾性体本体２の中に両端からそれぞれ装着され（装着方向は図４の矢印方向）、図１に示されるような本発明の常温収縮チューブ１の構成に至る。なお、インナーコア３と引き出しフィルム５の組み合わせ一体化物を弾性体本体２の中に装着するに際しては、通常、弾性体本体２の端部を拡径させるための拡径治具が用いられる。
【００２９】
上述してきた本発明の常温収縮チューブ１は、被覆電線の露出した接続部にソケット装着してこれを保護する継ぎ手として使用される。この使用方法の一例を、図５〜図７を参照しつつ説明する。
【００３０】
まず、接続しようとする２つの被覆電線１６ａ，１６ｂを準備する。最初に一方の被覆電線１６ａ側に、常温収縮チューブ１を完全に通す。この操作は弾性体本体２の両端部がインナーコア３の挿入により強制的に拡径されているので容易に行なうことができる。しかる後、もう一方の被覆電線１６ｂを突き合わせて接続部１７を構成する（図５の状態に至る）。次いで、図６に示されるように、常温収縮チューブ１を被覆電線１６ａ，１６ｂの接続部１７の位置までスライド移動させ、接続部１７を常温収縮チューブ１で覆う。しかる後、引き出しフィルム５の帯状の引き抜き部５５をそれぞれ矢印方向（イ）に引っ張り、インナーコア３を引き出しフィルム５とともに引き抜いて、ソケット装着する（図７の状態に至る）。この際、本発明においては、引き出しフィルム５を上記のように構成しているので、引き出しフィルム５とインナーコア３の滑りを利用して一気にインナーコアを抜くことができる。また、引き出しフィルム５の帯状の引き抜き部５５は全周ではなく一カ所なので引っ張り易く、しかも邪魔にならない。被覆電線１６ａ，１６ｂは、最終的に図７に示されるように、弾性体本体２の収縮（縮径）により固定され、中央部に位置する接続部１７は外界から遮断され保護される。なお、引き出しフィルム５とともに引き抜かれたインナーコア３は、分割され、除去される。
【００３１】
図８には、本発明の他の常温収縮チューブ１’の実施の態様（断面図）が示される。図８に示される常温収縮チューブ１’が図１に示される常温収縮チューブ１と異なる点は、筒状のインナーコア３の外周面と、引き出しフィルム５の被着面部５５との間に離型紙４が介在されている点にある。この離型紙４を介在させることにより、引き出しフィルム５の滑り性をあまり気にする必要がなくなるので、使用できる筒状フィルム５の材質選択範囲が広がる。また、引き出しフィルム５の抜き取りがより確実に行える傾向になる。離型紙４は、例えばシリコン処理または何らかの滑り加工を片面ないしは両面に施したプラスチックフィルムや紙等の材料により形成される。離型紙４の大きさは、インナーコア３の外周面を覆うことができる程度の大きさとすればよい。通常は、４角のシート状形態のものが好適に用いられる。
【００３２】
図８に示される常温収縮チューブ１’の使用方法は、前述した常温収縮チューブ１のそれと基本的に同一である。離型紙４は使用に際し、引き抜かれた後、除去される。
【００３３】
図９には、引き出しフィルム５’の変形例が示される。この引き出しフィルム５’が図２に示される引き出しフィルム５と異なるのは、被着面部５１と引き抜き部５５とがそれぞれ別体からなり、これらを接合して引き出しフィルム５’を形成している点にある。これにより設計上、どうしても引き抜き部５５を細くしなければならない時には、特に、引っ張り強度の大きい、例えば、紐などが利用できる。
【００３４】
本発明における常温収縮チューブ１は、その操作性をさらに向上させるために、図１０〜図１４に示されるように引き抜き部５５を筒状の弾性体本体２の外部側面に沿うように折り返し、さらに、固定部材によって一時的に固定させておくことが好ましい。これにより、電線を挿入する際に、引き抜き部５５が内部に引き込まれることが防止できる。また、固定しておくことにより、保管時や操作時に邪魔にならない。
【００３５】
図１０〜図１４は、それぞれ、引き抜き部５５を固定する好適な具体的方法（固定部材）を模式的に示したものであり、図１０においては、固定部材として、周方向の一部に切欠部６１ａを有するＯリング６１が用いられている。すなわち、図１０に示されるように、筒状の弾性体本体２の外部側面に沿うように折り返された引き抜き部５５には、筒状の弾性体本体２（あるいは筒状のインナーコア３）とともに、Ｏリング６１が被着され、これにより、引き抜き部５５の一時的な固定がおこなわれる。実際の被覆作業中に引き抜き部５５を引き抜かなければならない時に、Ｏリング６１が外される。切欠部６１ａは、Ｏリング６１の径方向の変形自由度を大きくし、装脱着を容易にするために形成されている。Ｏリング６１の材質は、特に限定されるものではないが、好適には、プラスチック材料が用いられる。
【００３６】
図１１においては、固定部材として、リング状のキャップ６２が用いられており、筒状の弾性体本体２の外部側面に沿うように折り返された引き抜き部５５は、筒状の弾性体本体２または筒状のインナーコア３とともに、リング状のキャップ６２が被着され、これにより、引き抜き部５５の一時的な固定がおこなわれる。キャップ６２の材質は、上記Ｏリング６１の材質と同様に、特に限定されるものではないが、好適には、プラスチック材料が用いられる。
【００３７】
図１２においては、固定部材として、Ｕ字型クリップ６３が用いられており、筒状の弾性体本体２の外部側面に沿うように折り返された引き抜き部５５は、折り返し端部で、引き抜き部５５とともに筒状の弾性体本体２または筒状のインナーコア３の肉厚部をＵ字型クリップ６３で挟み込むようにして挿着され、これにより引き抜き部５５の一時的な固定がおこなわれている。Ｕ字型クリップ６３の材質は、上記Ｏリング６１の材質と同様に、特に限定されるものではないが、好適には、プラスチック材料が用いられる。
【００３８】
図１３においては、筒状のインナーコアの端部に形成されたスリット状の切欠部６４が固定部材としての役目を果たしている。図１３（ａ）に示されるように、筒状の弾性体本体２の外部側面に沿うように折り返された引き抜き部５５は、スリット状の切欠部６４に挿入されるとともに係止され、これにより、引き抜き部５５の一時的な固定がおこなわれている。なお、図１３（ｂ）は、スリット状の切欠部６４の好適な一例を見易くするために、引き抜き部５５がスリット状の切欠部６４に係止される前の状態を示している。スリット状の切欠部６４の形態は特に限定されるものではなく、引き抜き部５５の一時的な固定が行える範囲で、適宜、スリット状切欠部６４の形状を変えてもよい。
【００３９】
図１４においては、固定部材として、片面に粘着部を備えるテープ片６５が用いられており、筒状の弾性体本体２の外部側面に沿うように折り返された引き抜き部５５は、テープ片６５で筒状の弾性体本体２（あるいは筒状のインナーコア３）に貼り付けられ、これにより引き抜き部５５の一時的な固定がおこなわれている。粘着部の粘着力は、一時的な固定が行える範囲での粘着力で足りる。
【００４０】
このような、固定部材を用いて、引き抜き部５５の一時的な固定を行っておけば、本発明の常温収縮チューブ１の作業性は格段と向上する。
【００４１】
【発明の効果】
以上述べたように、本発明の常温収縮チューブは、拡径および縮径可能な筒状の弾性体本体と、この弾性体本体を拡径するように弾性体本体の内部に挿入される筒状のインナーコアと、この筒状のインナーコアを引き出すとともに拡径された弾性体本体を縮径させるための引き出しフィルムを有し、前記引き出しフィルムが、筒状のインナーコアの外周面に被着される被着面部と、この被着面部に連接され帯状または紐状に延びる引き抜き部を備え、当該引き抜き部が前記筒状のインナーコアの内部空洞部を通過して外部に延出してなるように配置されて構成されている。そのため、簡易な構造で組み立てやすいので生産性に優れ、実際の操作に際して作業性も極めて優れるという効果を奏する。
【００４２】
また、固定部材を用いて、引き抜き部の一時的な固定を行っておけば、本発明の常温収縮チューブの作業性は格段と向上する。
【図面の簡単な説明】
【図１】本発明の常温収縮チューブの一実施形態を示す概略側面断面図（端面図）である。
【図２】本実施形態における引き出しフィルムの平面図である。
【図３】引き出しフィルムをインナーコアに被着させる状態を示す概略斜視図である。
【図４】インナーコアと引き出しフィルムの組み合わせが完了した状態を示す概略斜視図である。
【図５】常温収縮チューブを被覆電線の接続部近傍にずらした状態を示す概略図である。
【図６】被覆電線の接続部上に、常温収縮チューブを位置させた状態を示す概略図である。
【図７】常温収縮チューブの装着状態を示す概略図である。
【図８】本発明の常温収縮チューブの一実施形態を示す概略側面断面図（端面図）である。
【図９】本実施形態における他の引き出しフィルムの平面図である。
【図１０】引き抜き部を固定する具体的方法（固定部材としてＯリングを使用）を模式的に示したものである。
【図１１】引き抜き部を固定する具体的方法（固定部材としてキャップを使用）を模式的に示したものである。
【図１２】引き抜き部を固定する具体的方法（固定部材としてＵ字型クリップを使用）を模式的に示したものである。
【図１３】（ａ）は、引き抜き部を固定する具体的方法（固定部材としてスリット状の切欠部を使用）を模式的に示したものである。（ｂ）は、スリット状の切欠部の好適な一例を見易くするために、引き抜き部がスリット状の切欠部に係止される前の状態を示している。
【図１４】引き抜き部を固定する具体的方法（固定部材としてテープ片を使用）を模式的に示したものである。
【図１５】従来の常温収縮チューブの要部を示す概略図（端面図）である。
【符号の説明】
１…常温収縮チューブ
２…筒状の弾性体本体
３…インナーコア
３ａ，３ｂ…分割インナーコア
４…離型紙
５…引き出しフィルム
５１…被着面部
５５…引き抜き部
１６ａ，１６ｂ…被覆電線
１７…接続部
６１…Ｏリング
６２…キャップ
６３…Ｕ字型クリップ
６４…スリット状の切欠部
６５…片面に粘着部を備えるテープ片
【図１】
0003580345.tif 000002
【図２】
0003580345.tif 000003
【図３】
0003580345.tif 000004
【図４】
0003580345.tif 000005
【図５】
0003580345.tif 000006
【図６】
0003580345.tif 000007
【図７】
0003580345.tif 000008
【図８】
0003580345.tif 000009
【図９】
0003580345.tif 000010
【図１０】
0003580345.tif 000011
【図１１】
0003580345.tif 000012
【図１２】
0003580345.tif 000013
【図１３】
0003580345.tif 000014
【図１４】
0003580345.tif 000015
【図１５】
0003580345.tif 000016